(57)【要約】本発明は、布地をアイロンがけする方法に関する。アイロンは、濃縮アイロンがけ助剤が入っている補充カートリッジを収容する。そして、アイロンがけの間、濃縮助剤は布地に供給される前にアイロン中の水で希釈される。助剤は、非イオン性シリコーン含有界面活性剤を含む。【特許請求の範囲】
【請求項１】
アイロンとアイロンがけ補助製品で布地をアイロンがけする方法であって、アイロンがけ補助製品が濃縮製品としてアイロンに供給され、該濃縮製品がアイロン中で水で希釈され、その後アイロンから布地に供給される方法であり、該製品は非イオン性シリコーン含有界面活性剤を５％〜４０％、水を６０％〜９５％含み、２０℃、１００ｒｐｍで粘度が１ｃｐｓ〜４０ｃｐｓであることを特徴とする方法。
【請求項２】
容器及び前記容器内側の内容物、及び使用説明書を含む、請求項１に記載の方法で使用するのに好適な製造物品であって、内容物は、非イオン性シリコーン含有界面活性剤を５％〜４０％、水を６０％〜９５％含み、２０℃、１００ｒｐｍで粘度が１ｃｐｓ〜４０ｃｐｓであるアイロンがけ補助製品であり、使用説明書はアイロンがけ補助製品がアイロンに供給されるように指示し、アイロンの中でアイロンがけ補助製品が水で希釈されることになる物品。
【請求項３】
使用説明書が容器とは別々のリーフレット又は印刷物で提供される、請求項２に記載の物品。
【請求項４】
１枚のリーフレット又は別々の印刷物、及び内容物の入った幾つかの容器を含む、請求項３に記載の物品。
【請求項５】
容器及びその内容物がアイロン用の補充カートリッジである、請求項２、３又は４に記載の物品。
【請求項６】
中で製品を水で希釈することができるアイロンと、請求項２〜５のいずれか一項に記載の製造物品とを含む、一式の部品。
【請求項７】
前記非イオン性シリコーン界面活性剤は、式、
Ｒ１−（ＣＨ３）２ＳｉＯ−［（ＣＨ３）２ＳｉＯ］ａ−［（ＣＨ３）（Ｒ１）ＳｉＯ］ｂ−Ｓｉ（ＣＨ３）２−Ｒ１
によるものであり、式中、ａ＋ｂは、約１〜約５０であり、各Ｒ１は、同じであるか又は異なっており、メチル及び一般式、
（ＣＨ２）ｎ−Ｏ（Ｃ２Ｈ４Ｏ）ｃ−（Ｃ３Ｈ６Ｏ）ｄ−Ｒ２
を有するポリ（エチレンオキシド／プロピレンオキシド）コポリマー基からなる群より選択され、少なくとも１つのＲ１は、ポリ（エチレンオキシ／プロピレンオキシ）コポリマー基であり、式中、ｎは３又は４、好ましくは３であり；（全てのポリアルキレンオキシ側鎖基の）ｃの合計値は１〜約１００、好ましくは約６〜約１００であり；ｄの合計は０〜約１４、好ましくは０〜約３であり；更に好ましくはｄは０であり；ｃ＋ｄの合計値は約５〜約１５０、好ましくは約７〜約１００であり、各Ｒ２は同一であるか又は異なっており、水素、炭素数１〜４のアルキル基、及びアセチル基、好ましくは水素及びメチル基から成る群より選択され、各ポリアルキレンオキシドポリシロキサンが、ポリ（エチレンオキシド／プロピレンオキシド）コポリマー基である少なくとも１つのＲ１基を有する、請求項１〜６のいずれか一項に記載の方法、物品又は部品一式。
【請求項８】
アイロンがけ補助製品が非イオン性シリコーン含有界面活性剤を５％〜４０％、水を６０％〜９５％含み、２０℃、１００ｒｐｍで粘度が１ｃｐｓ〜４０ｃｐｓである、請求項１〜７のいずれか一項に記載の方法、物品又は部品一式。
【請求項９】
アイロンがけ補助製品が乳化剤を更に含む、請求項１〜８のいずれか一項に記載の方法、物品又は部品一式。
【発明の詳細な説明】
【０００１】
（技術分野）
本発明は、布地をアイロンがけする方法に関する。アイロンは、濃縮アイロンがけ助剤が入っている補充カートリッジを収容する。そして、アイロンがけの間、濃縮助剤は布地に供給される前にアイロン中の水で希釈される。助剤は、非イオン性シリコーン含有界面活性剤を含む。
【０００２】
（発明の背景）
本発明は、布地のアイロンがけに関する。布地のアイロンがけが、アイロンがけ助剤で都合よく達成されることは周知である。アイロンがけ助剤は、何らかの方法で、主として布地上でのアイロンの底面の滑りを向上させることにより、布地のアイロンがけを助ける製品である。アイロンがけ助剤は、独立型の製品、典型的にはエアロゾール又は手動の噴霧器で販売される製品により供給できることも知られている。アイロンがけ助剤は、「アイロンを介して」供給できることも知られているが、このような実施方法は、商業的規模ではあまり一般的ではない。これらの実施方法の中で、好ましいものは、アイロンがけ助剤が濃縮製品の形態でアイロンに供給され、その濃縮製品はアイロン中の水タンクからの水で希釈される実施方法である。そのため、濃縮製品は、カートリッジの補充でアイロンに供給されるであろう。このような実施方法には、補充物には濃縮製品が入っており、従ってアイロンは高い希釈率を使用することができるため、補充物が長持ちするという利点がある。このようなアイロンは、ＰＣＴ国際公開特許ＷＯ９９／２７１７６に開示されている。
【０００３】
しかし、我々の知るところでは、このような実施方法は商業化されなかった。これらの実施方法で生じる特定の問題は、高濃度の活性物質を含有し、水と容易に混合し、濃縮されたおよび希釈された形態の両方で、およびアイロンの底面付近にあるため保管中の周囲の温度から使用中の暖かい温度までの範囲の様々な温度にわたって安定であるアイロンがけ助剤が配合されなければならないということである。
【０００４】
本発明は、非イオン性シリコーン含有界面活性剤の使用を提案することによってこの問題を解決する。実際に、このような界面活性剤の濃縮組成物は、上記の目的を満たす。
【０００５】
（発明の概要）
第１の実施形態では、本発明は、アイロン及びアイロンがけ補助製品で布地をアイロンがけする方法を包含する。アイロンがけ補助製品は、濃縮製品としてアイロンに供給される。濃縮製品は、アイロン中の水で希釈された後、アイロンから布地に供給される。製品は、非イオン性シリコーン含有界面活性剤を５％〜４０％、水を６０％〜９５％含み、２０℃、１００ｒｐｍで粘度が１ｃｐｓ〜４０ｃｐｓである。
【０００６】
第２の実施形態では、本発明は本発明の方法で使用するのに好適な製造物品を包含する。製造物品は、容器及び容器内側の内容物、及び使用説明書を含む。内容物は、アイロンがけ補助製品である。使用説明書は、アイロンがけ補助製品がアイロンに供給されなければならないこと、アイロンの中でアイロンがけ補助製品は水で希釈されることを指示する。使用説明書は、容器に印刷されても、又は別々に提供されてもよい。内容物の入った単一の容器であっても、又は１組の説明書を備えた内容物の入った幾つかの容器であってもよい。容器及びその内容物は、アイロン用の補充カートリッジであることが好ましい。
【０００７】
第３の実施形態では、本発明は、アイロンと、容器、その内容物としてのアイロンがけ補助製品、及び使用説明書を含む製造物品とを含む、一式の部品を包含する。
【０００８】
（詳細な説明）
本発明の方法には、アイロン及びアイロンがけ補助製品が必要である。
【０００９】
本発明の方法で使用されるアイロンは、水タンク中に水を受け、入れておくことができるものであり、濃縮組成物を受けることができ、水で濃縮組成物を希釈することができ、布地をアイロンがけするプロセス中に希釈した組成物を布地に送達することができるものである。このようなアイロンは、ＰＣＴ国際公開特許ＷＯ９９／２７１７６に開示されており、この特許は引用により本明細書に組み込まれている。
【００１０】
本発明に使用される製品は、非イオン性シリコーン含有界面活性剤の濃縮組成物である。本明細書で使用するのに好適なこのような界面活性剤は、式、
Ｒ１−（ＣＨ３）２ＳｉＯ−［（ＣＨ３）２ＳｉＯ］ａ−［（ＣＨ３）（Ｒ１）ＳｉＯ］ｂ−Ｓｉ（ＣＨ３）２−Ｒ１
の界面活性剤の部類に含まれ、式中、ａ＋ｂは約１〜約５０、好ましくは約１〜約３０、更に好ましくは約１〜約２５であり、各Ｒ１は同じであるか又は異なっており、メチル及び一般式、
−（ＣＨ２）ｎ−Ｏ（Ｃ２Ｈ４Ｏ）ｃ−（Ｃ３Ｈ６Ｏ）ｄ−Ｒ２
を有するポリ（エチレンオキシド／プロピレンオキシド）コポリマー基から成る群より選択され、少なくとも１つのＲ１は、ポリ（エチレンオキシ／プロピレンオキシ）コポリマー基であり、式中、ｎは３又は４、好ましくは３であり；（全てのポリアルキレンオキシ側鎖基の）ｃの合計値は１〜約１００、好ましくは約６〜約１００であり；ｄの合計は０〜約１４、好ましくは０〜約３であり；更に好ましくはｄは０であり；ｃ＋ｄの合計値は約５〜約１５０、好ましくは約７〜約１００であり、各Ｒ２は同じであるか又は異なっており、水素、炭素数１〜４のアルキル基、及びアセチル基、好ましくは水素及びメチル基から成る群より選択される。各ポリアルキレンオキシドポリシロキサンは、ポリ（エチレンオキシド／プロピレンオキシド）コポリマー基である少なくとも１つのＲ１基を有する。
【００１１】
この種の界面活性剤の非限定的な例は、ウィトコ（Ｗｉｔｃｏ）の一事業部であるＯＳＩスペシャルティ（ＯＳＩＳｐｅｃｉａｌｔｉｅｓ，Ｉｎｃ．）（コネティカット州ダンベリー）から入手可能なシルウェット（Ｓｉｌｗｅｔ）（登録商標）界面活性剤である。エチレンオキシ（Ｃ２Ｈ４Ｏ）基だけを含有する代表的シルウェット（Ｓｉｌｗｅｔ）（登録商標）界面活性剤は、以下のものである。
【００１２】
【表１】
2004528483.tif 000002
エチレンオキシ（ＥＯ）（Ｃ２Ｈ４Ｏ）基及びプロピレンオキシ（ＰＯ）（Ｃ３Ｈ６Ｏ）基の両方を含有するシルウェット（Ｓｉｌｗｅｔ）（登録商標）界面活性剤の非限定的な例は、以下のようである。
【００１３】
【表２】
2004528483.tif 000003
ポリアルキレンオキシ基（Ｒ１）の分子量は、約１０，０００以下である。好ましくは、ポリアルキレンオキシ基の分子量は約８，０００以下、及び最も好ましくは約３００〜約５，０００の範囲である。したがって、ｃ及びｄの値は、これらの範囲内の分子量を与える数とすることができる。しかし、ポリエーテル鎖（Ｒ１）中のエチレンオキシ単位（−Ｃ２Ｈ４Ｏ）の数は、ポリアルキレンオキシドポリシロキサンを水溶性にするのに十分なものでなければならない。ポリアルキレンオキシ鎖中にプロピレンオキシ基が存在する場合、それらは鎖中に不規則に分布しているか、又はブロックとして存在する。エチレンオキシ基及びプロピレンオキシ基の両方を含有するシルウェット（Ｓｉｌｗｅｔ）（登録商標）界面活性剤の混合物も、好ましい。好ましいシルウェット（Ｓｉｌｗｅｔ）（登録商標）界面活性剤は、Ｌ−７００１、Ｌ−７０８７、Ｌ−７２００、Ｌ−７２８０、Ｌ−７６００、Ｌ−７６０８、Ｌ−７６２２、Ｌ−７６５７である。
【００１４】
ポリアルキレンオキシドポリシロキサンの調製は当該技術分野において周知である。本発明のポリアルキレンオキシドポリシロキサンは、引用により本明細書に組み込まれる米国特許第３，２９９，１１２号に記載されている手順に従って調製することができる。通常は、本発明の界面活性剤のブレンドのポリアルキレンオキシドポリシロキサンは、ヒドロシロキサン（即ちケイ素と結合した水素を含有するシロキサン）と、アルコキシ又はヒドロキシで末端封鎖されたポリアルキレンオキシドのアルケニルエーテル（例えばビニル、アリル、又はメタリルエーテル）との間のヒドロシル化反応により容易に調製される。この種の付加反応に使用される反応条件は当該技術分野において周知であり、一般に、白金触媒（例えばクロロ白金酸）及び溶媒（例えばトルエン）の存在下で反応体を（例えば、約８５℃〜１１０℃の温度に）加熱することを必要とする。
【００１５】
本明細書の製品は、その部類の単一の界面活性剤、又はこれらの混合物と配合されてもよい。その部類の中の好適な界面活性剤、又はこれらの混合物は、選択された濃度で−２０℃、１００ｒｐｍで（ブルックフィールド（Ｂｒｏｏｋｆｉｅｌｄ）（登録商標）ＬＢＶ０１粘度計で、スピンドルＮｏ１を用いて測定される）粘度が、１ｃｐｓ〜４０ｃｐｓ、好ましくは３ｃｐｓ〜１５ｃｐｓの間、最も好ましくは５ｃｐｓ〜１０ｃｐｓの間である。粘度がこのように低いと、製品は水中で十分に混和することができるが、これは製品が通常、布地に供給される直前にアイロン中の水と混合される本発明の状況では、重要な必要条件である。
【００１６】
本明細書の製品は、前記界面活性剤を製品全体の５重量％〜４０重量％、好ましくは８重量％〜２５重量％、最も好ましくは１０重量％〜２０重量％含む。本明細書の製品は、このような界面活性剤の水溶液であり、従ってそれらは水を製品全体の６０重量％〜９５重量％、好ましくは７５重量％〜９２重量％、最も好ましくは８０重量％〜９０重量％含む。
【００１７】
本明細書の製品は、相が安定である。相の安定性を測定するための適切な試験手順は、以下の実施例に記載されている。しかし、より高温での相の安定性を確実なものとするためには、製品中に乳化剤を配合することが必要な場合がある。
【００１８】
本明細書で使用するのに好適な乳化剤には、直鎖脂肪酸のナトリウム及びカリウム塩；ココヤシ油脂肪酸のナトリウム及びカリウム塩；トール油酸のナトリウム及びカリウム塩；直鎖アルキルベンゼンスルホネート；ベンゼンスルホネート、トルエンスルホネート、キシレンスルホネート、クメンスルホネート；リグニンスルホネート；石油スルホネート；パラフィンスルホネート、二級ｎ−アルカンスルホネート；α−オレフィンンスルホネート；スルホサクシネートエステル；アルキルナフタレンスルホネート；イセチオネート；硫酸化直鎖一級アルコール；ポリオキシエチレン化直鎖アルコールスルホネート、硫酸化トリグリセリド；リン酸及びポリリン酸エステル；過フッ素化陰イオン；長鎖アミン及びそれらの塩；ジアミン及びポリアミン、及びそれらの塩；四級アンモニウム塩；ポリオキシエチレン化長鎖アミン；四級化ポリオキシエチレン化長鎖アミン；アミンオキシド；ポリオキシエチレン化アルキルフェノール、ポリオキシエチレン化直鎖アルコール；ポリオキシエチレン化ポリオキシプロピレングリコール；ポリオキシエチレン化メルカプタン；長鎖カルボン酸エステル、天然脂肪酸のグリセリル及びポリグリセリルエステル；プロピレングリコール、ソルビトール、及びポリオキシエチレン化ソルビトールエステル；ポリエチレングリコールエステル及びポリオキシエチレン化脂肪酸；１：１及び２：１のアルカノールアミン−脂肪酸縮合物；三級アセチレングリコール；Ｎ−アルキルピロリドン；アルキルポリグリコシド；β−Ｎ−アルキルアミノプロピオン酸；Ｎ−アルキル−β−イミノジプロピオン酸；イミダゾリンカルボキシレート；Ｎ−アルキルベタイン；スルホベタイン等が挙げられる。好ましい乳化剤は、ドデカベンゼンスルホン酸ナトリウム、ラウリル硫酸ナトリウム、及び１０〜１５のエチレンオキシド単位でエトキシ化したＣ１２〜１５の脂肪族アルコールである。製品は、乳化剤を０．０１％〜２％、好ましくは０．１％〜１％含むことができる。
【００１９】
防腐剤、芳香剤、殺菌成分、キレート剤、溶媒、ビルダー、安定化剤、光沢剤、移染防止剤、加湿剤、酸化防止剤、ｐＨ緩衝剤、及び染料などの任意選択的な微量成分が、製品の残りの部分を構成する。
【００２０】
本発明の方法の実施形態では、アイロンがけ補助製品は、最初にアイロンに供給される。次いで、製品は、アイロン中の水で希釈され、希釈された製品はアイロンで布地に供給される。
【００２１】
製品は、好適には製造物品として使用者に提供される。製造物品は、アイロンがけ補助製品が入っている容器、及び本発明の方法に従って製品を使用するように使用者に指示する使用説明書を含む。容器は、アイロン中にある製品用の貯溜器に空けられる慣用的な容器とすることもできる。しかし、好ましい実施方法では、アイロンには補充カートリッジ用の受け器又は入口があり、そして容器は受け器又は入口に嵌合する補充カートリッジである。カートリッジは空になった時、処分され、取り替えられる。
【００２２】
使用説明書は、様々な方法で提供することができる。それらを容器の表面に印刷するか、又はそれらを別々のリーフレットで提供することができる。容器が二次的なパッケージに包装される場合は、説明書を二次的なパッケージの表面に印刷することができる。特に好都合な実施方法では、幾つかの容器は一緒に、単一の二次的なパッケージに包装され、使用説明書は別々のリーフレット又は印刷物により提供されることが好ましい。
【００２３】
更に、使用説明書は製品がアイロン中で希釈されることを説明するような詳細なものであってもよく、又は好適なアイロンに製品を供給するように使用者に指示し、どのアイロンが好適であるか（このアイロンは、水タンクに水を受け、入れておくことができ、製品を受けることができ、製品を水で希釈することができ、布地にアイロンをかけるプロセス中に、希釈された組成物を布地に送達することができる）を明記するだけであるように短縮されていてもよい。
【００２４】
最後に、本発明を実行する手段は、「スタータキット」、即ち、上記のようなアイロンと、上記のような製造物品とを含む一式の部品で好都合に実現される。
【００２５】
（実施例）
本発明を以下の実施例により説明するが、本発明は決してこれらに限定されるものではない。
【００２６】
実施例１：水での希釈性
列記した比率で列記した成分を混合することによって以下の組成物を作成する。
実施例Ｂ、Ｃ及びＤは、本発明の組成物ではない。
【００２７】
【表３】
2004528483.tif 000004
シルウェット（Ｓｉｌｗｅｔ）Ｌ７２００、クロンプトン（Ｃｒｏｍｐｔｏｎ）製のポリアルキレンオキシド変性シリコーン（有効分９９％）。
ロードシルヒュイル（Ｒｈｏｄｏｓｉｌ ｈｕｉｌｅ）２１６４５、ローディア（Ｒｈｏｄｉａ）製の［３−（２，２′，６，６′−テトラメチルピペリジンー４−イロキシ）プロピル］変性シリコーン（有効分１００％）。
【００２８】
ダウ・コーニング（Ｄｏｗ Ｃｏｒｎｉｎｇ）２００流体、ダウ・コーニング（Ｄｏｗ Ｃｏｒｎｉｎｇ）製のポリジメチルシロキサン流体（有効分１００％）。
【００２９】
シルウェット（Ｓｉｌｗｅｔ）Ｌ７６００、クロンプトン（Ｃｒｏｍｐｔｏｎ）製のポリアルキレンオキシド変性シリコーン（有効分９９％）。
プロキセル（Ｐｒｏｘｅｌ）ＧＸＬ、アベンシア（Ａｖｅｎｃｉａ）製のＢＩＴ防腐剤（有効分２１％）。
【００３０】
組成物の水での希釈性を以下の手順を使用して評価した：
上記の組成物３．０ｇを脱塩水１２．０ｇ及び長さ１ｃｍ直径４ｍｍのテフロンコーティングしたマグネチックバーと共に、標準ガラスバイアル瓶（直径２２ｍｍ）に注ぎ入れた。次いで、このバイアル瓶に蓋をして５秒間１００ｒｐｍで撹拌した。次いで、サンプルが均質化したか、目視検査した。
【００３１】
希釈後、組成物Ａ〜Ｄの層の安定性の結果を下記の表に表す。
【００３２】
【表４】
2004528483.tif 000005
立証されるように、組成物Ａの希釈性は、組成物Ｂ〜Ｄの場合より良好である。
【００３３】
実施例２：高温での相の安定性
列記した比率で列記した成分を混合することによって以下の組成物を作成した。
【００３４】
【表５】
2004528483.tif 000006
シルウェット（Ｓｉｌｗｅｔ）Ｌ７２００、クロンプトン（Ｃｒｏｍｐｔｏｎ）製のポリアルキレンオキシド変性シリコーン（有効分９９％）。
シルウェット（Ｓｉｌｗｅｔ）Ｌ７６００、クロンプトン（Ｃｒｏｍｐｔｏｎ）製のポリアルキレンオキシド変性シリコーン（有効分９９％）。
プロキセル（Ｐｒｏｘｅｌ）ＧＸＬ、アベンシア（Ａｖｅｎｃｉａ）製のＢＩＴ防腐剤（有効分２１％）。
【００３５】
アイロンをかける間に生じるような高温での保管時の、組成物の相の安定性を、以下の３段階の手順を通して評価した。
【００３６】
１．均質化した新しい組成物の不揮発性の内容物（ＮＶＣ）分析を、残留物の重量が一定になるまで１０５℃で蒸発させるメトラートレド（Ｍｅｔｔｌｅｒ Ｔｏｌｅｄｏ）ＨＲ７３ハロゲン水分分析計を使用して測定した。
【００３７】
２．保管：新しい組成物１５．０ｇを標準ガラスバイアル瓶（直径２２ｍｍ）に注入し、蓋をして密封した。次いで、サンプルをオーブン中に、試験される温度で３日間保管した。
【００３８】
３．保管後の組成物の不揮発性の内容物（ＮＶＣ）分析：上記のバイアル瓶中に入っているサンプルの液体の上部層１グラムをピペットで取り出し、段階１の手順を使用して不揮発性の内容物（ＮＶＣ）を分析した。段階１と同一の結果は、組成物が安定であることを示すものである。
【００３９】
組成物Ａ及びＥの層の安定性の結果を下記の表に表す。
【００４０】
【表６】
2004528483.tif 000007
組成物Ｃ及びＢは、共に７０度で安定である。組成物Ｂには乳化剤が存在するため、７８℃で組成物Ｃより安定である。
【国際公開パンフレット】
2004528483.tif 000008
2004528483.tif 000009
2004528483.tif 000010
2004528483.tif 000011
2004528483.tif 000012
2004528483.tif 000013
2004528483.tif 000014
2004528483.tif 000015
2004528483.tif 000016
2004528483.tif 000017
2004528483.tif 000018
2004528483.tif 000019
2004528483.tif 000020
2004528483.tif 000021
【国際公開パンフレット（コレクトバージョン）】
2004528483.tif 000022
【国際公開パンフレット（コレクトバージョン）】
2004528483.tif 000023
【国際調査報告】
2004528483.tif 000024
2004528483.tif 000025
2004528483.tif 000026